(57)【要約】      （修正有）【課題】軽量化を図りつつ強度に優れ、また、防水、防錆性を有し、かつ、扉部分の破損や不正開扉をなくして防犯性を高めた低コストの荷物受取用宅配ボックスを提供する。【解決手段】荷物受取用宅配ボックス１０は、正面に開口部を有し、上下面、左右側面および背面が閉塞され樹脂成形加工により一体に形成されてなる本体部１と、左右側面および上面を覆うように形成された化粧板と、前記開口部を開閉自在とする開閉扉と、施錠機構とを有し、前記本体部の少なくとも外面には、相互に交差する方向に複数条の補強リブが形成され、前記化粧板の左右側面を構成する側面パネル３及び前記化粧板の上面を構成する上面パネルの少なくとも一方には、当該化粧板を前記本体部に取付けるための取り付けツメ１３，１５が形成され、前記複数条の補強リブのうちの少なくとも一つの補強リブには、前記取り付けツメが組付けられるツメ受け１４，１６が形成される。【選択図】図１２
2020099455.tif 000002
【特許請求の範囲】
【請求項１】
正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉と、前記開閉扉に設けられた施錠機構とを有し、
前記本体部の少なくとも外面には、相互に交差する方向に複数条の補強リブが形成され、
前記化粧板の左右側面を構成する側面パネル及び前記化粧板の上面を構成する上面パネルの少なくとも一方には、当該化粧板を前記本体部に取付けるための取り付けツメが形成され、
前記複数条の補強リブのうちの少なくとも一つの補強リブには、前記取り付けツメが組付けられるツメ受けが形成されたことを特徴とする荷物受取用宅配ボックス。
【請求項２】
前記ツメ受けが形成される補強リブは、当該本体部の左右側面と上下面との境界部分に設けられた補強リブであることを特徴とする請求項１に記載の荷物受取用宅配ボックス。
【発明の詳細な説明】
【技術分野】
【０００１】
本発明は戸建て住宅あるいは集合住宅における居住者不在時の荷物受取用宅配ボックスに関する。
【背景技術】
【０００２】
戸建て住宅あるいは集合住宅において、居住者が不在のときに、いわゆる宅配便などによって届けられる荷物は後日再配送されるのが一般的であるが、近年この再配送の手数や受取りの遅延をなくすために、家屋の入口近くに宅配荷物の受取ボックスを設置し、帰宅時に居住者が前記ボックスを開扉して荷物を受け取ることが行われている。このような不在時用受取ボックスとしては、戸建て用タイプのものと集合住宅用タイプのものに大別され、戸建て用としては屋外の玄関口近くの外壁ないし地面に固定状態に設置され、多層階の集合住宅用としては主として集合建物内の所定位置に各戸に応じた個別のボックスが設置されるのが普通である。
【０００３】
従来、例えば戸建て住宅の居住者が不在時に、配達者が荷物を前記住宅に付属した荷受けボックスに収納しておく場合に収容荷物の盗難の問題があるが、配達者による荷受けボックスの電子的な解錠、施錠の手段もすでに開示されている。しかし荷受けボックス自体の構造については、安価、軽量で簡単な構造を有し、かつ強度に優れ、また、防滴性、耐候性に富む構造のものは未だ開発されていない。
【０００４】
特許文献１の荷物受取用ロッカーに関しては、個人住宅の２枚引戸の一方を居住者の出入り用、他方を荷物受取用ロッカーの隠蔽用引戸とし、不在時にのみ配送者が前記ロッカー隠蔽用引戸を解錠して前記引戸を開き、露出した指定ロッカーに荷物を入れるという構造であり、受取ボックスあるいはロッカー自体は家屋の玄関内側に設置されたものである。
また、合成樹脂製のトレーを上下複数段に積み上げてキャビネットを構成したものとしては特許文献２に示すものがあり、すべての合成樹脂製トレーを一度にロックするオートロック機構を合成樹脂製の縦移動部材および横移動部材で構成したものが開示されている。そのほか、暗証キーによって配達者が施錠を解除し、配達物を保管可能とする配達物受取装置も開示されている（特許文献３）。
【先行技術文献】
【特許文献】
【０００５】
【特許文献１】特開平２−２３４７１０号公報
【特許文献２】特開２０１４−２２４３７６号公報
【特許文献３】特開昭６３−１３００１４号公報
【発明の概要】
【発明が解決しようとする課題】
【０００６】
戸建て住宅あるいは集合住宅において、居住者不在時の配達荷物の受取り装置については前述の如く従来から種々のものが開示されているが、いずれも家屋の壁面の内側あるいは玄関口の引戸の内側に受取り装置を設置する構造のもの、あるいは受取り装置の電子的な施錠、解錠に関するものであり、屋外に設置される受取り箱の構造、例えば軽量かつ簡単な構造にして耐荷重性、防滴性、防錆性、耐候性、その他、防犯性に優れ、しかも低コストの受取りボックスについては未だ開発されていない。
【０００７】
本発明は軽量化を図りつつ強度に優れ、また、防水、防錆性を有し、かつ、扉部分の破損や不正開扉をなくして防犯性を高めた低コストの荷物受取用宅配ボックスを提供することを目的とするものである。
【課題を解決するための手段】
【０００８】
上記の目的を達成するために、本発明に係る荷物受取用宅配ボックスによれば、正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉と、前記開閉扉に設けられた施錠機構とを有し、
前記本体部の少なくとも外面には、相互に交差する方向に複数条の補強リブが形成され、
前記化粧板の左右側面を構成する側面パネル及び前記化粧板の上面を構成する上面パネルの少なくとも一方には、当該化粧板を前記本体部に取付けるための取り付けツメが形成され、前記複数条の補強リブのうちの少なくとも一つの補強リブには、前記取り付けツメが組付けられるツメ受けが形成されたことを特徴とする。
【０００９】
また、前記ツメ受けが形成される補強リブは、当該本体部の左右側面と上下面との境界部分に設けられた補強リブであることを特徴とする。
【発明の効果】
【００１０】
本発明によれば、軽量で強度に優れ、防水性、防錆性に富み、かつ防犯性に優れた低コストの荷物受取用宅配ボックスが得られる。
【図面の簡単な説明】
【００１１】
【図１】本発明の実施例に係る荷物受取用宅配ボックスの閉蓋状態における外観斜視図である。
【図２】図１に示す実施例で開蓋状態における荷物受取用宅配ボックスの外観斜視図である。
【図３】本発明の実施例に係る宅配ボックスの本体部の斜視図である。
【図４】本発明の実施例に係る荷物受取用宅配ボックスの分解状態における斜視図である。
【図５】図５（ａ）は図１に示す実施例における開閉扉の第一の例を示す斜視図である。図５（ｂ）は図５（ａ）の開閉扉を上方から見た図である。図５（ｃ）は図５（ａ）の開閉扉の雨除けリブ周辺の平面Ｃにおける断面図である。
【図６】第一の例に係る開閉扉の作用を説明する図である。
【図７】比較例に係る開閉扉の作用を説明する図である。
【図８】図８（ａ）は図１に示す実施例における開閉扉の第二の例を示す斜視図である。図８（ｂ）は図８（ａ）の開閉扉を上方から見た図である。図８（ｃ）は図８（ａ）の開閉扉の雨除けリブ周辺の拡大斜視図である。
【図９】図１に示す実施例における化粧板の一例を示す斜視図である。
【図１０】図９に示す取り付けツメの拡大斜視図である。
【図１１】図１１（ａ）は図１に示す実施例における本体部の一例を方向Ｆから見た斜視図である。図１１（ｂ）は図１に示す実施例における本体部の一例を方向Ｇから見た斜視図である。
【図１２】図９の化粧板の組付け態様を説明する図である。
【図１３】図９の化粧板の上面パネルの組付け態様を説明する図である。
【図１４】図９の化粧板の側面パネルの組付け態様を説明する図である。
【図１５】図１に示す実施例における化粧板の変形例を示す斜視図である。
【図１６】図１５に示す取り付けツメの拡大斜視図である。
【図１７】図１に示す実施例における本体部の変形例を示す斜視図である。
【図１８】図１８（ａ）は変形例に係る化粧板の組付け態様を説明する拡大斜視図である。図１８（ｂ）は変形例に係る化粧板の組付け態様を説明する拡大斜視図である。
【発明を実施するための形態】
【００１２】
次に、本発明を、その好適な実施例について、図面を参照しつつ説明する。この実施例の荷物受取用宅配ボックス１０は主として戸建て用のものであり、住宅の入口近くの地面あるいは基台上に設置される。また、望ましくは転倒防止、盗難防止のため建物の壁面に固定されるか地面に続く前記基台上にボルト等により固定される。
【００１３】
図１、図２の外観図に示すように、実施例の荷物受取用宅配ボックス１０は正面（前面）が開口した箱形の本体部１と、この本体部１の上面および左右側面を覆う化粧板４と、本体部正面の開口部を閉蓋・開蓋する開閉扉５と、開閉扉５に設けられた鍵機構部６とを有して構成され、本体部１の内方が荷物収納部として機能する。
【００１４】
図３を参照すれば、本体部１は、左右側面、底面、背面および上面が閉塞された箱形となっている。本体部１は、例えば、ＰＰ樹脂（ポリプロピレン）等の合成樹脂材で一体に成形される。また、本体部１の左右側面、背面および上面の外面には複数本の補強リブ８，９が本体部１と一体に成形される。実施例では、本体部１の各面外面の縁部に補強リブ８が形成されるとともに、本体部１の外面には相互に交わる複数条の補強リブ９が形成されている。これによって本体部１は継ぎ目のなく形成されるとともに全体としての強度が確保されている。なお、特に、左右側面と上面との境界部分に形成される補強リブ９を、補強リブ９ａと称する。この補強リブ９ａには化粧板４を本体部１に組付けるためのツメ受け１４，１６が形成される（ツメ受け１４，１６については、図１１（ａ），図１１（ｂ），図１２等を用いて後述する）。
【００１５】
本体部１の底面及び背面も補強リブにより補強されてもよい。また、求められる強度に応じて、本体部１の各面の内面に補強リブが形成されてもよい。なお、本体部１の背面あるいは底面には宅配ボックスを固定するためのボルト孔（不図示）が形成されている。
【００１６】
図４は本発明の実施例の宅配ボックス１０を本体部１と化粧板４と開閉扉５に分解して示したものである。本体部１の外面を覆う化粧板４は、上面パネル２および左右の側面パネル３で構成され、本体部１の左右側面および上面がこの化粧板４で覆われる。この化粧板４の各パネル２，３は、例えばＡＥＳ樹脂（アクリロニトリル・エチレン−プロピレン−ジエン・スチレン）等の合成樹脂材で形成されている。
【００１７】
化粧板４の上面パネル２は、中央が平板状であって左右側部が本体部１の側面に向けてＲ形に湾曲形成されたＲ形湾曲部２ａを有する板部材である。化粧板４の側面パネル３は、中央が平板状であって上部および下部がそれぞれ本体部１の上面および底面に向けてＲ形に湾曲形成されたＲ形湾曲部３ａを有する板部材である。これら化粧板４の上面パネル２及び側面パネル３の本体部１への組付け態様については図１２〜図１４を用いて後述する。
【００１８】
次に本体部１の前面開口を閉塞する開閉扉５について説明する。開閉扉５は、図２に示すように、片側部が蝶番７によって本体部１に対し開閉可能に連結されている。宅配の荷物は本体部１の正面から出し入れするようになっている。この実施例では開閉扉５は化粧板４と同様にＡＥＳ樹脂材による成形加工により形成され、その片側部が本体部１の前面開口部の側縁１ａに蝶番連結されている。図２に示すように、本体部１の開口部はその開口縁となる前面よりやや奥方に寄った内面位置に閉扉時の開閉扉５のストッパとなるストッパリブ１１が開口部内面周囲に形成されている。開閉扉５は閉扉状態では該開閉扉５の側部全域（扉の左右側部、上側部および下側部）が本体部１の開口部内面１ｂに僅かな隙間を有して囲包され、この状態で開閉扉５の内面（裏面）周部が本体部１の開口部内面１ｂのストッパリブ１１に当接し、また開閉扉５の前面は本体部１の開口部の前面と略同一面となるように形成されている。
【００１９】
開閉扉５の蝶番連結部と反対側の扉前面位置に該開閉扉５を施錠、解錠する鍵機構部６が組み込まれている。鍵機構部６は例えば外部からの電子情報信号によって扉の施錠、解錠ができる形態の電動鍵機構であり、施錠、解錠機能が一体にブロック化されて開閉扉５に組み込まれている。なお、鍵機構部６の前面には開閉扉５を開けるときの係指凹部６ａが形成されている。
【００２０】
また、本発明の実施例では、前述したように開閉扉５の外側部が本体部１の開口端部の内面に囲包される構造のため、開閉扉５の耐こじ開け性にも優れており、例えば本体部開口部近傍で図１の矢印Ｂ方向に外力がかかった場合にも、開閉扉５が開くことがないように設定されている。また、本体部１の上面に上方から荷重がかかった場合にも正常動作するように補強リブ８，９の本数、形状など本体部１の強度設定がなされている。さらに本体部１は左右側面、上面および背面の全体が一体形に成形された形態のため、防滴性に優れ、例えば１時間散水後にも本体部内の荷物は濡れない構造としている。そのほか合成樹脂製で全体が構成されているため、防錆性、耐候性に優れた構造としている。また、鋼板製や板金製と異なり、全体が合成樹脂製のため軽量であり、低コストの荷物受取用宅配ボックスとすることができる。なお、荷物受取用宅配ボックス１０の大きさの一例として段ボール箱等が入る大きさとしているが、ゴルフバッグ等が収納できる縦置きタイプの大きさ等、これ以外の大きさのものであってもよいことは勿論である。
【００２１】
［開閉扉の第一の例］
図５（ａ）は、図１に示す実施例における開閉扉の第一の例を示す斜視図である。図５（ｂ）は、図５（ｃ）の開閉扉を上方から見た図である。図５（ｃ）は、図５（ａ）の開閉扉の雨除けリブ周辺の平面Ｃにおける断面図である。
【００２２】
図５（ａ）〜図５（ｃ）を用いて、開閉扉５の第一の例について説明する。第一の例に係る開閉扉５では、該開閉扉５の上面において、複数本（図５（ａ）〜図５（ｃ）では４本）の雨除けリブ２１ａ，２１ｂ，２１ｃ，２１ｄ（以下、総称する場合、「雨除けリブ２１」と称する。）が、扉の縦幅方向に並設される態様で扉の横幅方向に形成されている。これら複数本の雨除けリブ２１は、外部から雨水等の流体が本体部１の内方に浸入するのを防止するためのものである。
【００２３】
図５（ｂ）や図５（ｃ）に示すように、雨除けリブ２１ａと雨除けリブ２１ｂとの間には凹溝３１ａが形成される。同様に、雨除けリブ２１ｂと雨除けリブ２１ｃとの間には凹溝３１ｂが形成され、雨除けリブ２１ｃと雨除けリブ２１ｄとの間には凹溝３１ｃが形成される。なお、以下の説明において凹溝３１ａ，３１ｂ，３１ｃを総称する場合、「凹溝３１」と称する。
【００２４】
雨除けリブ２１ａは、開閉扉５の最も前面側において鉛直方向に延設され、例えば２．０ｍｍの厚みを有する略平板状部材である。この雨除けリブ２１ａの表側面は、開閉扉５の前面と同一平面を形成する。
【００２５】
雨除けリブ２１ｂは、雨除けリブ２１ａよりも開閉扉５の内面（裏面）側において鉛直方向に延設され、例えば２．０ｍｍの厚みを有する部材である。図５（ｂ）に示すように、この雨除けリブ２１ｂは、横幅方向中央部分が横幅方向両端部分に比べてやや開閉扉５の内面（裏面）側に向かって湾曲した態様で形成される。なお、横幅方向中央部分は雨除けリブ２１ａと略平行に形成される。図５（ｃ）に示すように、この雨除けリブ２１ｂの鉛直方向の高さは、雨除けリブ２１ａの鉛直方向の高さと略同一である。
【００２６】
雨除けリブ２１ｃは、雨除けリブ２１ｂよりも更に開閉扉５の内面側において鉛直方向に延設され、例えば２．０ｍｍの厚みを有する部材である。図５（ｂ）に示すように、この雨除けリブ２１ｃは前述の雨除けリブ２１ｂと同様に、横幅方向中央部分が横幅方向両端部分に比べてやや開閉扉５の内面（裏面）側に向かって湾曲した態様で形成される。なお、横幅方向中央部分は雨除けリブ２１ａと略平行に形成される。図５（ｃ）に示すように、この雨除けリブ２１ｃの鉛直方向の高さも、雨除けリブ２１ａの鉛直方向の高さと略同一である。
【００２７】
雨除けリブ２１ｄは、開閉扉５の最も内面（裏面）側において鉛直方向に延設され、例えば２．０ｍｍの厚みを有する部材である。図５（ｂ）に示すように、この雨除けリブ２１ｄは前述の雨除けリブ２１ｂ，２１ｃと同様に、横幅方向中央部分が横幅方向両端部分に比べてやや開閉扉５の内面（裏面）側に向かって湾曲した態様で形成される。なお、横幅方向中央部分は雨除けリブ２１ａと略平行に形成される。また図５（ｃ）に示すように、この雨除けリブ２１ｄの鉛直方向の高さは、雨除けリブ２１ａ，２１ｂ，２１ｃに比べて低く形成されている。
【００２８】
以上に示すように、第一の例に係る開閉扉５の上面には、扉の縦幅方向に並設される態様で扉の横幅方向に形成された複数本の雨除けリブ２１と、隣り合う各雨除けリブ２１の間に形成された複数の凹溝３１とが備えられる。続いて、これら複数本の雨除けリブ２１並びに複数の凹溝３１が形成されることによる作用並びに効果について説明する。
【００２９】
［開閉扉の作用］
図６は、第一の例に係る開閉扉の作用を説明する図である。図７は、比較例に係る開閉扉の作用を説明する図である。
【００３０】
図６では、図５（ａ）〜図５（ｃ）で示した開閉扉５の雨除けリブ２１周辺の平面Ｃ（図５（ａ）参照）における断面図に、更に、同平面Ｃにおける本体部１の断面図を併せて示したものである。本実施例に係る開閉扉５によれば、開閉扉５の閉扉状態では該開閉扉５の上側部が本体部１の開口部内面１ｂに僅かな隙間を有して囲包され、この状態で開閉扉５の雨除けリブ２１ｃの裏面が本体部１の開口部内面１ｂのストッパリブ１１に当接し、また開閉扉５の前面（雨除けリブ２１ａの表側面）は本体部１の開口部の前面と略同一面となるように形成されている。なお、雨除けリブ２１ｄ並びに凹溝３１ｃは本体部１のストッパリブ１１よりも内方に配置されることとなる。図中の矢印Ｄ１〜Ｄ３は、当該宅配ボックス１０の外部から雨水等の流体が浸入する場合の浸入経路を示している。
【００３１】
図７では、比較例として開閉扉５の代わりに開閉扉５０を設けた場合を示している。開閉扉５０では、二つの雨除けリブ２２ａ，２２ｂと一つの凹溝３２とが形成されている。比較例に係る開閉扉５０によれば、開閉扉５０の閉扉状態では該開閉扉５０の上側部が本体部１の開口部内面１ｂに僅かな隙間を有して囲包され、この状態で開閉扉５０の雨除けリブ２２ｂの裏面が本体部１の開口部内面１ｂのストッパリブ１１に当接し、また開閉扉５０の前面（雨除けリブ２２ａの表側面）は本体部１の開口部の前面と略同一面となるように形成されている。図中の矢印Ｅ１〜Ｅ３は、当該宅配ボックス１００の外部から雨水等の流体が浸入する場合の浸入経路を示している。
【００３２】
まず図７に示すように、一つの凹溝３２が形成された開閉扉５０によれば、矢印Ｅ１の経路により外部から雨水等の流体が浸入した場合、浸入した流体はまず凹溝３２に流れ込む。その後、凹溝３２に流れ込んで跳ねたりする流体は、矢印Ｅ２に示すように雨除けリブ２２ｂの上方向に流れ込み、その後矢印Ｅ３に示すように本体部１の内方に流れ込むこととなる。従って、図７に例示されるような従来型の開閉扉５０では、外部からの流体の浸入を防ぐのに効果的とは言えなかった。
【００３３】
これに対し、図６に示す第一の例に係る開閉扉５によれば、矢印Ｄ１の経路により外部から雨水等の流体が浸入した場合、浸入した流体はまず凹溝３１ａに流れ込む。その後、凹溝３１ａに流れ込んで跳ねたりする流体は、矢印Ｄ２に示すように開口部内面１ｂに当たった後に凹溝３１ｂに流れ込むこととなり、本体部１の内方には流れ込まない。もちろん凹溝３１ｂに流れ込んだ流体が更に雨除けリブ２１ｃの上方向を経由して本体部１の内方に流れ込む可能性はあるが、その場合であっても、流体は凹溝３１ｃに流れ込むこととなり、本体部１の内方に流れ込むのが防止される。
【００３４】
以上に示すように、第一の例に係る開閉扉５によれば、隣り合う複数本の雨除けリブ２１の間に複数の凹溝３１が形成されることによって、外部から雨水等の流体が浸入した場合であっても、浸入した流体が本体部１の内方に流れ込むのを防止することができる。なお、雨除けリブ２１の本数が４本である場合を例に挙げて説明してきたが、この場合に限定されるものでないことは言うまでもない。雨除けリブ２１の本数は５個以上であっても良い。また、外部から雨水等の流体が本体部１の内方に流れ込むのを防止するための構造であれば、雨除けリブ２１及び凹溝３１は、図５（ａ）〜図５（ｃ）に示すような形状に限定されるものではない。
【００３５】
［開閉扉の第二の例］
図８（ａ）は、図１に示す実施例における開閉扉の第二の例を示す斜視図である。図８（ｂ）は、図８（ａ）の開閉扉を上方から見た図である。図８（ｃ）は、図８（ａ）の開閉扉の雨除けリブ周辺の拡大斜視図である。
【００３６】
図８（ａ）〜図８（ｃ）を用いて、開閉扉の第二の例について説明する。第二の例に係る開閉扉５Ａでは、第一の例に係る開閉扉５と同様に、該開閉扉５Ａの上面において、複数本（図８（ａ）〜図８（ｃ）では４本）の雨除けリブ２３ａ，２３ｂ，２３ｃ，２３ｄ（以下、総称する場合、「雨除けリブ２３」と称する。）が扉の縦幅方向に並設される態様で扉の横幅方向に形成されている。
【００３７】
また、図８（ｂ）や図８（ｃ）に示すように、雨除けリブ２３ａと雨除けリブ２３ｂとの間に凹溝３３ａが形成される。同様に、雨除けリブ２３ｂと雨除けリブ２３ｃとの間には凹溝３３ｂが形成され、雨除けリブ２３ｃと雨除けリブ２３ｄとの間には凹溝３３ｃが形成される。なお、以下の説明において凹溝３３ａ，３３ｂ，３３ｃを総称する場合、「凹溝３３」と称する。
【００３８】
第二の例に係る雨除けリブ２３は、前述の第一の例に係る雨除けリブ２２と以下の点で相違する。すなわち、図８（ａ）や図８（ｃ）に示すように、第二の例に係る雨除けリブ２３のうちの前面と裏面との間、すなわち内側の雨除けリブ２３ｂ及び雨除けリブ２３ｃについては、蝶番７と反対側では開閉扉５Ａの側面に至るまで形成されている点である。これに伴い、凹溝３３ａ，３３ｂ，３３ｃについても開閉扉５Ａの側面に至るまで形成されることとなる。
【００３９】
以上に示すように、第二の例に係る開閉扉５Ａの上面には、扉の縦幅方向に並設される態様で扉の横幅方向に形成された複数本の雨除けリブ２３と、隣り合う各雨除けリブ２３の間に形成された複数の凹溝３３とが備えられ、さらに、内側の雨除けリブ２３ｂ及び雨除けリブ２３ｃが開閉扉５Ａの側面に至るまで形成されている。従って、凹溝３３についても開閉扉５Ａの側面に至るまで形成されることとなる。これにより、前述の第一の例に係る開閉扉５の作用並びに効果に加え、凹溝３３に入ってきた流体を凹溝３３内に留まらせることなく、構造的に側面から外部へ流出させることが可能となる。
【００４０】
［化粧板の例］
図９は、図１に示す実施例における化粧板の一例を示す斜視図である。図１０は、図９に示す取り付けツメの拡大斜視図である。
【００４１】
図９を用いて、化粧板４の一例を説明する。図９では、化粧板４の上面パネル２を裏面から見た斜視図を示している。図９に示すように、上面パネル２の左右側部にそれぞれ形成されたＲ形湾曲部２ａの端縁に沿って、複数（図９では左右それぞれ５個）の取り付けツメ１３が設けられている。これら複数の取り付けツメ１３の各々は、上面パネル２の平板状部分に対して垂直方向に設けられている。各々の取り付けツメ１３は、図１０に示すように、先端に向かって先細りに形成された雄係合部１３ａを有する。各々の取り付けツメ１３の雄係合部１３ａが後述するツメ受け１４の雌係合部１４ａ（図１１（ａ）〜図１２参照）に係合することによって、上面パネル２は本体部１に組付けられる。
【００４２】
なお、化粧板４の左右の側面パネル３も同様に、側面パネル３の左右端部にそれぞれ形成されたＲ形湾曲部３ａの端縁に沿って、側面パネル３の平板状部分に対して垂直方向に複数の取り付けツメ１５（図１２参照）が設けられる。但し、側面パネル３の取り付けツメ１５と上面パネル２の取り付けツメ１３との干渉を防ぐために、図１２に示すように、側面パネル３に設けられる取り付けツメ１５の取り付け位置は、Ｒ形湾曲部３ａの端縁方向において取り付けツメ１３の取り付け位置と異ならせるようにする。なお、上面パネル２及び側面パネル３の少なくとも一方に、取り付けツメ１３，１５を形成してもよい。
【００４３】
［本体部の第一の例］
図１１（ａ）は、図１に示す実施例における本体部の一例を方向Ｆから見た斜視図である。図１１（ｂ）は、図１に示す実施例における本体部の一例を方向Ｇから見た斜視図である。方向Ｆ、方向Ｇはそれぞれ図３に図示している。
【００４４】
図１１（ａ），図１１（ｂ）に示すように、本体部１の左右側面と上面との境界部分に形成される補強リブ９ａには、複数のツメ受け１４と、複数のツメ受け１６とが形成されている。
【００４５】
複数のツメ受け１４の各々は、補強リブ９ａに形成された略四角状の孔部であり、図１１（ａ）に示すように、補強リブ９ａの側面側の面には突起状の雌係合部１４ａが形成されている。この雌係合部１４ａは、上面パネル２の取り付けツメ１３が上方から差し込まれた場合に該取り付けツメ１３の雄係合部１３ａと係合する突起部分である。
【００４６】
複数のツメ受け１６の各々もツメ受け１４と同様に、補強リブ９ａに形成された略四角状の孔部であるが、前述のツメ受け１４と異なり、補強リブ９ａの上面側の面において突起状の雌係合部１６ａが形成されている。この雌係合部１６ａは、側面パネル３の取り付けツメ１５が側方から差し込まれた場合に該取り付けツメ１５の雄係合部１５ａと係合する突起部分である。
【００４７】
なお、前述の通り、側面パネル３の取り付けツメ１５と上面パネル２の取り付けツメ１３との干渉を防ぐために、ツメ受け１４，１６についても補強リブ９ａに沿って形成位置が異なるように構成されている。また補強リブ９ａの両端には、上面パネル２と側面パネル３のうちの一方のパネルのツメ受け（図１１（ａ），１１（ｂ）では、上面パネル２のツメ受け１４）が、本体部１の前面及び背面との間で隙間を生じないように形成されている。これにより、化粧板４が本体部１に組付けられる場合の化粧板４と本体部１の密封性を高めることができる。なお、本体部１の左右側面と下面との境界部分に形成される補強リブにも、同様のツメ受けを設けても良い。
【００４８】
［化粧板の組付け態様］
図１２は、図９の化粧板の組付け態様を説明する図である。図１３は、図９の化粧板の上面パネルの組付け態様を説明する図である。図１４は、図９の化粧板の側面パネルの取付け態様を説明する図である。
【００４９】
図１２に示すように、化粧板４を本体部１に組み付けるには、上面パネル２の裏面に設けられた取り付けツメ１３を補強リブ９ａに設けられたツメ受け１４に嵌め込む、すなわち取り付けツメ１３の雄係合部１３ａをツメ受け１４の雌係合部１４ａに係合させることで、上面パネル２を本体部１に装着する（図１３参照）。同様に、側面パネル３の裏面に設けられた取り付けツメ１５を補強リブ９ａに設けられたツメ受け１６に嵌め込む、すなわち取り付けツメ１５の雄係合部１５ａをツメ受け１６の雌係合部１６ａに係合させることで、側面パネル３を本体部１に装着する（図１４参照）。
【００５０】
以上に示すように、上面パネル２は当該上面パネル２の取り付けツメ１３と補強リブ９ａに設けられたツメ受け１４との係合により本体部１に組付け固定され、同様に側面パネル３も当該側面パネル３の取り付けツメ１５と補強リブ９ａに設けられたツメ受け１６との係合により本体部１に組付け固定される。
【００５１】
以上例示してきた化粧板４によれば、簡易な組み付け機構により本体部１に組付けることが可能である。また、補強リブ９ａに本体部１の筐体強度を強める補強機能を持たせるのみならず、化粧板４を組付けるためのツメ受け１４，１６としての組付け機能を持たせている点で、補強リブ９ａを複数用途に効果的に利用可能である。
【００５２】
なお、実施例では、化粧板４は一対の側面パネル３と上面パネル２から構成されているが、本体部１の底面と背面を覆うパネルを取り付けてもよい。さらに、各パネルを平板状に成形してもよい。また化粧板４の内面にも必要により補強リブが形成されてもよい。図１，図２に示されるように、本体部１の左右側面および上面は化粧板４によって外面が覆われるため、本体部外面の補強リブは外部には露出しない。
【００５３】
［化粧板の変形例］
図１５は、図１に示す実施例における化粧板の変形例を示す斜視図である。図１６は、図１５に示す取り付けツメの拡大斜視図である。
【００５４】
図１５を用いて、化粧板の変形例を説明する。図１５では、変形例に係る化粧板４Ａの上面パネル２Ａを裏面から見た斜視図を示している。なお、変形例に係る化粧板４Ａの上面パネル２Ａでは、前述の図９に示す化粧板４の上面パネル２と異なり、平板状の天板の四辺においてＬ形に折曲されたＬ形折曲部１７が形成されている。この上面パネル２Ａの四辺のうちの対向する二辺のＬ形折曲部１７の内側には、複数（図１５では、それぞれ４個）のＬ字形の取り付けツメ１８が設けられている。
【００５５】
各々の取り付けツメ１８が、本体部１Ａのツメ受け１９（後述の図１７参照）に挿入されて水平移動により係合することによって、取り付けツメ１８は本体部１Ａに取付けられる。なお、化粧板４Ａの左右の側面パネルも同様の構成として良い。
【００５６】
［本体部の変形例］
図１７は、図１に示す実施例における本体部の変形例を示す斜視図である。
【００５７】
図１７では、変形例に係る本体部１Ａにおいて、前述の取り付けツメ１８を備えた上面パネル２Ａが取り付けられる部分を拡大して示している。図１７に示すように、本体部１Ａの外枠においてツメ受け１９が設けられる。このツメ受け１９は、前述の取り付けツメ１８が鉛直上方向から挿入可能な切欠き形状である。本体部１Ａの外枠には、複数のツメ受け１９が、上面パネル２Ａの複数の取り付けツメ１８の各々に対応して設けられる。
【００５８】
［変形例に係る化粧板の組付け態様］
図１８（ａ）及び図１８（ｂ）は、変形例に係る化粧板の組付け態様を説明する拡大斜視図である。
【００５９】
図１８（ａ）及び図１８（ｂ）に示すように、化粧板４Ａを本体部１Ａに組み付けるには、上面パネル２の裏面に設けられた取り付けツメ１８をツメ受け１９に嵌め込み（図１８（ａ）参照）、さらに取り付けツメ１８を水平移動させることで、上面パネル２Ａを本体部１Ａに装着する（図１８（ｂ）参照）。化粧板４Ａの側面パネルについても同様の方法により本体部１Ａに装着する。
【００６０】
以上に示すように、上面パネル２Ａは当該上面パネル２Ａの取り付けツメ１８と本体部１Ａの外枠に設けられたツメ受け１９との係合により本体部１Ａに組付け固定され、同様に側面パネルについても本体部１Ａに組付け固定される。以上例示してきた変形例に係る化粧板４Ａによれば、簡易な組み付け機構により本体部１Ａに組付けることが可能である。また、本体部１の外枠に、化粧板４Ａを組付けるためのツメ受け１８としての組付け機能を持たせている点で、本体部１の外枠を複数用途に効果的に利用可能である。
【００６１】
なお、図１２に示すように本実施例において化粧板４は弾性のある取り付けツメ１３を本体部３の外面に設けられたツメ受け１４に係合させることにより本体部１に組み付けているが、ネジで止めてもよいし、化粧板４の裏面に嵌合用リブを設け、本体部１の補強リブに嵌め込み固定してもよいし、化粧板４の裏面に嵌合用凸部を設け、本体部１に設けた嵌合用凹部に嵌め込み固定してもよく、化粧板４の組み付け方法は限定されない。また、様々な色や風合いの化粧板４を用意することにより、利用者が好みの化粧板４を選択することができる。化粧板４の色彩、模様、風合いを作り出すために成形の前に樹脂基材に着色剤を混練させてもよいし、成形後の化粧板に塗装を施してもよいし、表面にフィルム加飾を施してもよい。
【００６２】
上記実施例は屋外設置タイプとして戸建て住宅に適用した例を示したが、本発明の荷物受取用宅配ボックスの他の実施の形態として、集合住宅や公共施設に設置される複数個組の宅配ボックスを示す。複数個組の宅配ボックスは、実施例に示す荷物受取用宅配ボックス１０を縦横複数個並べてネジ止め等により固定し、所望の個数と大きさの宅配ボックスを形成する。例えば１列３ボックスで４段積みの集合ボックス構造あるいは１列４ボックスで３段積みとして１箇所に合計１２ボックスの屋内設置形態として構成することもできる。尚、列と段の数はこれに限られるものではない。
【００６３】
また、本発明の荷物受取用宅配ボックスの他の実施の形態として、他の複数個組の宅配ボックスを示す。他の形態の荷物受取用宅配ボックスは実施例に示す宅配ボックス１０の本体部１を縦横複数個並べて固定し、かつ複数個並べて固定した本体部１の集合体全体の少なくとも上面と側面を化粧板で覆い所望の大きさの宅配ボックスを形成する。
【００６４】
本発明の実施例の構成によれば、荷物受取用宅配ボックス１０は、ボックス本体部１が成形加工による合成樹脂材で一体形に形成され、かつ各面が補強リブ８，９で補強されているため、板金製のものに比べて軽量で強度に優れた宅配ボックスが得られる。また、ボックスの各面が従来のような板金の接合形態でなく樹脂材の一体成形で形成されていることから防水性、防錆性に富む。さらに、開閉扉５もその外側部が前記本体部の正面開口部の内側面に囲包されるように構成されているため防犯性に優れている。ボックスの主要部全体は合成樹脂材で形成されているので低コストの荷物受取用宅配ボックスが得られる。
【符号の説明】
【００６５】
１０  荷物受取用宅配ボックス
１，１Ａ  本体部
２  上面パネル
２ａ  Ｒ形湾曲部
３  側面パネル
３ａ  Ｒ形湾曲部
４，４Ａ  化粧板
５，５Ａ  開閉扉
６  鍵機構部
７  蝶番
８，９，９ａ  補強リブ
１１  ストッパリブ
１３，１５，１８  取り付けツメ
１３ａ，１５ａ  雄係合部
１４，１６，１９  ツメ受け
１４ａ，１６ａ  雌係合部
１７  Ｌ形折曲部
【図１】
2020099455.tif 000003
【図２】
2020099455.tif 000004
【図３】
2020099455.tif 000005
【図４】
2020099455.tif 000006
【図５】
2020099455.tif 000007
【図６】
2020099455.tif 000008
【図７】
2020099455.tif 000009
【図８】
2020099455.tif 000010
【図９】
2020099455.tif 000011
【図１０】
2020099455.tif 000012
【図１１】
2020099455.tif 000013
【図１２】
2020099455.tif 000014
【図１３】
2020099455.tif 000015
【図１４】
2020099455.tif 000016
【図１５】
2020099455.tif 000017
【図１６】
2020099455.tif 000018
【図１７】
2020099455.tif 000019
【図１８】
2020099455.tif 000020
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉と、前記開閉扉に設けられた施錠機構とを有し、
前記本体部の少なくとも外面には、相互に交差する方向に複数条の補強リブが形成され、
前記化粧板の左右側面を構成する側面パネル及び前記化粧板の上面を構成する上面パネルの少なくとも一方には、当該化粧板を前記本体部に取付けるための取り付けツメが形成され、
前記複数条の補強リブのうちの少なくとも一つの補強リブには、前記取り付けツメが組付けられるツメ受けが形成され、
前記ツメ受けが形成される補強リブは、当該本体部の左右側面と上面との境界部分に設けられた補強リブを含むことを特徴とする荷物受取用宅配ボックス。
【請求項２】
前記本体部の左右側面と上面との境界部分に設けられた補強リブには、前記側面パネルに形成された取り付けツメが組付けられるツメ受けと、前記上面パネルに形成された取り付けツメが組付けられるツメ受けとが形成されることを特徴とする請求項１に記載の荷物受取用宅配ボックス。
【手続補正２】
【補正対象書類名】明細書
【補正対象項目名】０００８
【補正方法】変更
【補正の内容】
【０００８】
上記の目的を達成するために、本発明に係る荷物受取用宅配ボックスによれば、正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉と、前記開閉扉に設けられた施錠機構とを有し、
前記本体部の少なくとも外面には、相互に交差する方向に複数条の補強リブが形成され、
前記化粧板の左右側面を構成する側面パネル及び前記化粧板の上面を構成する上面パネルの少なくとも一方には、当該化粧板を前記本体部に取付けるための取り付けツメが形成され、前記複数条の補強リブのうちの少なくとも一つの補強リブには、前記取り付けツメが組付けられるツメ受けが形成され、
前記ツメ受けが形成される補強リブは、当該本体部の左右側面と上面との境界部分に設けられた補強リブを含むことを特徴とする。
【手続補正３】
【補正対象書類名】明細書
【補正対象項目名】０００９
【補正方法】変更
【補正の内容】
【０００９】
また、前記本体部の左右側面と上面との境界部分に設けられた補強リブには、前記側面パネルに形成された取り付けツメが組付けられるツメ受けと、前記上面パネルに形成された取り付けツメが組付けられるツメ受けとが形成されることを特徴とする。